(57)【要約】      （修正有）【課題】複数の被検者から取得された生体情報の集中管理の利便性を高める情報端末の提供。【解決手段】被検者の生体情報を管理するための情報端末、生体情報処理方法、生体情報管理方法を情報端末に実行させる生体情報管理方法を提示する。無線通信装置１１は、複数の被検者の生体情報に対応する複数のセンサ信号を受信する。ディスプレイ１２は、複数の被検者と複数のセンサ信号の関連付けに基づいて、被検者ごとに生成された表示領域に当該被検者の生体情報を表示する。【選択図】図１
2019166116.tif 000002
【特許請求の範囲】
【請求項１】
複数の被検者の生体情報に対応する複数のセンサ信号を受信する無線通信装置と、
前記複数の被検者と前記複数のセンサ信号の関連付けに基づいて、被検者ごとに生成された表示領域に当該被検者の生体情報を表示するディスプレイと、
を備えている、
情報端末。
【請求項２】
前記ディスプレイは、前記複数の被検者について生成された複数の前記表示領域を一括表示可能である、
請求項１に記載の情報端末。
【請求項３】
同一の被検者から受信した前記複数のセンサ信号の数が所定値を超える場合、当該同一の被検者の生体情報を表示する前記複数の表示領域の一つのみが前記ディスプレイに表示される、
請求項２に記載の情報端末。
【請求項４】
所定の操作を受け付けるユーザインターフェースを備えており、
前記ユーザインターフェースが前記所定の操作を受け付けると、当初表示されていなかった生体情報が前記表示領域内に表示される、
請求項１から３のいずれか一項に記載の情報端末。
【請求項５】
所定の操作を受け付けるユーザインターフェースを備えており、
前記ユーザインターフェースが前記所定の操作を受け付けると、当初表示されていなかった被検者について生成された前記表示領域が前記ディスプレイに表示される、
請求項２から４のいずれか一項に記載の情報端末。
【請求項６】
前記ユーザインターフェースは、前記ディスプレイに対するタッチ入力を許容するタッチパネル装置を含んでおり、
前記複数の表示領域の各々には複数の生体情報が第一方向に沿って配列されており、
前記所定の操作は、前記第一方向と異なる第二方向へのフリック操作またはスワイプ操作である、
請求項５に記載の情報端末。
【請求項７】
前記ユーザインターフェースは、前記ディスプレイに対するタッチ入力を許容するタッチパネル装置を含んでおり、
前記生体情報は、時間軸が第一方向に沿うように前記表示領域に表示されており、
前記所定の操作は、前記前記第一方向と異なる第二方向へのフリック操作またはスワイプ操作である、
請求項５に記載の情報端末。
【請求項８】
前記ユーザインターフェースが前記第一方向へのフリック操作またはスワイプ操作を受け付けると、前記表示領域内で前記生体情報が当該第一方向へスクロールする、
請求項６または７に記載の情報端末。
【請求項９】
各被検者との距離または各被検者に装着されたセンサからの電波強度を検出する検出部を備えており、
前記検出部による検出結果に基づいて、前記複数の被検者のうち、最も近くにいる一人の生体情報を表示している前記表示領域が、前記ディスプレイに表示される、
請求項１から８のいずれか一項に記載の情報端末。
【請求項１０】
各被検者との距離または各被検者に装着されたセンサからの電波強度を検出する検出部を備えており、
前記検出部による検出結果に基づいて、前記複数の被検者のうち最も近くにいると判断された一人の生体情報を表示する前記表示領域が、前記ディスプレイにおいて強調表示される、
請求項１から９のいずれか一項に記載の情報端末。
【請求項１１】
前記関連付けを示す情報を格納している記憶部を備えている、
請求項１から１０のいずれか一項に記載の情報端末。
【請求項１２】
前記関連付けを示す情報が前記センサ信号に含まれている、
請求項１から１０のいずれか一項に記載の情報端末。
【請求項１３】
ユーザが携帯可能である、
請求項１から１２のいずれか一項に記載の情報端末。
【請求項１４】
複数の被検者の生体情報に対応する複数のセンサ信号を無線送信する複数のセンサと、
プロセッサを備えており、前記複数のセンサ信号を受信する情報端末と、
を含む生体情報管理システムにおいて、前記プロセッサにより実行される生体情報管理方法であって、
前記複数の被検者と前記複数のセンサ信号の関連付けを行ない、
前記関連付けに基づいて、被検者ごとに生成されて当該被検者の生体情報を表示する表示領域を、前記情報端末のディスプレイに表示する、
生体情報管理方法。
【請求項１５】
請求項１４に記載の生体情報管理方法を情報端末に実行させる、
生体情報管理プログラム。
【請求項１６】
請求項１５に記載の生体情報管理プログラムが記憶されている、
コンピュータが読み取り可能な記憶媒体。
【発明の詳細な説明】
【技術分野】
【０００１】
本開示は、被検者の生体情報を管理するための情報端末、生体情報管理方法、当該生体情報管理方法を情報端末に実行させる生体情報管理プログラム、および当該生体情報管理プログラムが記憶されたコンピュータが読み取り可能な記憶媒体に関連する。
【背景技術】
【０００２】
特許文献１は、セントラルモニタを開示している。セントラルモニタは、複数の被検者から取得された生体情報を集中管理するための装置である。
【先行技術文献】
【特許文献】
【０００３】
【特許文献１】特開２０１５−０８４８７６号公報
【発明の概要】
【発明が解決しようとする課題】
【０００４】
本開示は、複数の被検者から取得された生体情報の集中管理の利便性を高めることを目的とする。
【課題を解決するための手段】
【０００５】
上記の目的を達成するための一態様は、情報端末であって、
複数の被検者の生体情報に対応する複数のセンサ信号を受信する無線通信装置と、
前記複数の被検者と前記複数のセンサ信号の関連付けに基づいて、被検者ごとに生成された表示領域に当該被検者の生体情報を表示するディスプレイと、
を備えている。
【０００６】
このような構成によれば、複数の被検者から取得される生体情報を集中管理するための情報端末の配置場所の自由度を高めることができる。これにより、生体情報の集中管理の利便性を高めることができる。
【０００７】
上記の目的を達成するための一態様は、
複数の被検者の生体情報に対応する複数のセンサ信号を無線送信する複数のセンサと、
プロセッサを備えており、前記複数のセンサ信号を受信する情報端末と、
を含む生体情報管理システムにおいて、前記プロセッサにより実行される生体情報管理方法であって、
前記複数の被検者と前記複数のセンサ信号の関連付けを行ない、
前記関連付けに基づいて、被検者ごとに生成されて当該被検者の生体情報を表示する表示領域を、前記情報端末のディスプレイに表示する。
【０００８】
上記の目的を達成するための一態様は、上記の生体情報管理方法を情報端末に実行させる、生体情報処理プログラムである。
【０００９】
上記の目的を達成するための一態様は、上記の生体情報処理プログラムが記憶されている、コンピュータが読み取り可能な記憶媒体である。
【図面の簡単な説明】
【００１０】
【図１】一実施形態に係る情報端末の機能構成を示している。
【図２】上記の情報端末により行なわれる処理の流れを示している。
【図３】上記の情報端末に格納されたセンサ識別情報と被検者識別情報との対応を示すテーブルの一例を示している。
【図４】上記の情報端末のディスプレイにおける表示例を示している。
【図５】上記の情報端末のディスプレイにおける表示例を示している。
【図６】上記の情報端末のディスプレイにおける表示例を示している。
【図７】上記の情報端末のディスプレイにおける表示例を示している。
【図８】上記の情報端末のディスプレイにおける表示例を示している。
【発明を実施するための形態】
【００１１】
添付の図面を参照しつつ、実施形態の例を以下詳細に説明する。図１は、一実施形態に係る情報端末１の機能構成を示している。
【００１２】
情報端末１は、複数の被検者から取得される生体情報集中管理するための装置である。情報端末１は、各被検者に装着される少なくとも一つのセンサとともに生体情報管理システムを構成する。
【００１３】
センサは、被検者の生体情報を検出し、当該生体情報に対応する信号を出力する構成を備えている。生体情報としては、体温、血圧、心電図、筋電図、脳波、非観血動脈血酸素飽和度（ＳｐＯ２）、呼吸気における二酸化炭素または酸素の濃度または分圧などが例示されうる。
【００１４】
情報端末１は、無線通信装置１１を備えている。無線通信装置１１は、センサと無線通信を行なうことが可能な通信インターフェースを備えている。そのようなインターフェースとしては、ＲＦＩＤ（Radio Frequency Identification）、ＮＦＣ（Near Field Communication）、Bluetooth（登録商標）やWi-Fiなどの規格に準拠した通信インターフェースが例示されうる。無線通信装置１１は、各被検者に装着された少なくとも一つのセンサから少なくとも一つのセンサ信号を受信する。
【００１５】
情報端末１は、ディスプレイ１２を備えている。ディスプレイ１２は、各種の情報を表示可能に構成されている。ディスプレイ１２としては、液晶表示装置や有機ＥＬ表示装置が例示されうる。
【００１６】
情報端末１は、制御部１３を備えている。制御部１３は、プロセッサを備えている。プロセッサは、後述する生体情報管理方法の少なくとも一部を実行するように構成されている。プロセッサの機能は、メモリと協働して動作する汎用マイクロプロセッサにより実現されてもよいし、マイクロコントローラ、ＦＰＧＡ、ＡＳＩＣなどの専用集積回路によって実現されてもよい。
【００１７】
情報端末１は、通信バス１４を備えている。無線通信装置１１、ディスプレイ１２、および制御部１３は、通信バス１４を介して相互に信号やデータのやり取りが可能とされている。
【００１８】
図２は、上記のように構成された生体情報管理システムにおいて行なわれる生体情報管理方法の一例を示している。情報端末１において実行される処理は、制御部１３の制御下において行なわれる。
【００１９】
まず、無線通信装置１１が、複数の被検者の生体情報に対応する複数のセンサ信号を無線受信する（ＳＴＥＰ１）。図１に示される例においては、第一被検者、第二被検者、および第三被検者の各々に装着された少なくとも一つのセンサからセンサ信号が受信されている。すなわち、本実施形態において被検者の数は三人である。しかしながら、被検者の数は、二人でもよいし、四人以上であってもよい。
【００２０】
図２に示されるように、続いて複数の被検者と複数のセンサ信号の関連付けがなされる（ＳＴＥＰ２）。
【００２１】
例えば、図１に示されるように、情報端末１は、記憶部１５を備えうる。記憶部１５は、通信バス１４に接続されうる。記憶部１５は、複数の被検者と複数のセンサ信号を関連付けるための情報が予め格納されるストレージを備えてうる。具体的には、センサ識別情報と被検者識別情報との対応を示すテーブルが格納されうる。
【００２２】
図３は、そのようなテーブルの一例を示している。被検者個人を識別するための被検者ＩＤが、各被検者に割り当てられている。本例においては、第一被検者に被検者ＩＤとしてＰ０２８が割り当てられている。同様に、第二被検者には被検者ＩＤとしてＰ２２３が割り当てられており、第三被検者には被検者ＩＤとしてＰ０７５が割り当てられている。
【００２３】
他方、センサ固体を識別するためのセンサＩＤが、各センサに割り当てられている。本例においては、頭文字Ｅを含むセンサＩＤは、心電図を検出するためのセンサを表している。頭文字Ｓを含むセンサＩＤは、非観血動脈血酸素飽和度（ＳｐＯ２）を検出するためのセンサを表している。頭文字Ｒを含むセンサは、呼吸気における二酸化炭素濃度を検出するためのセンサを表している。各センサから送信されるセンサ信号は、センサＩＤに対応する情報を含んでいる。
【００２４】
制御部１３は、記憶部１５に格納されたテーブルを参照しつつ、複数の被検者と複数のセンサ信号の関連付けを行なう。例えば、センサＩＤがＥ００３であることを示すセンサ信号が受信された場合、当該センサ信号を出力した心電図センサは、被検者ＩＤがＰ０２８である第一被検者に関連付けられていることが判る。同様に、センサＩＤがＳ０７６であることを示すセンサ信号が受信された場合、当該センサ信号を出力したＳｐＯ２センサもまた、第一被検者に関連付けられていることが判る。同様に、センサＩＤがＥ０９８である心電図センサと、センサＩＤがＳ４８７であるＳｐＯ２センサは、被検者ＩＤがＰ２２３である第二被検者に関連付けられていることが判る。
【００２５】
図２に示されるＳＴＥＰ１とＳＴＥＰ２の順序は逆でもよい。すなわち、センサＩＤと被検者ＩＤの関連付けは、予めセンサにおいて行なわれてもよい。例えば、センサＩＤがＥ００３である心電図センサと被検者ＩＤがＰ０２８である第一被検者との関連付けは、当該心電図センサの第一被検者への装着時に行なわれうる。この場合、当該心電図センサから送信されるセンサ信号は、Ｅ００３とＰ０２８に対応する情報を含む。この場合、記憶部１５に相当する構成は、センサに設けられうる。
【００２６】
続いて、複数の被検者と複数のセンサ信号の関連付けに基づいて、被検者ごとに設定された表示領域に当該被検者の生体情報が表示される（ＳＴＥＰ３）。図４の（Ａ）は、情報端末１のディスプレイ１２においてなされる表示の一例を示している。
【００２７】
表示領域Ａ１は、第一被検者の生体情報を表示するためにディスプレイ１２に表示される領域である。同図において、表示領域Ａ１は、第一被検者に装着された心電図センサから受信したセンサ信号に対応する心電図波形を表示している。また、表示領域Ａ１は、第一被検者に装着されたＳｐＯ２センサから受信したセンサ信号に対応するＳｐＯ２の測定値の経時変化を表示している。
【００２８】
表示領域Ａ２は、第二被検者の生体情報を表示するためにディスプレイ１２に表示される領域である。同図において、表示領域Ａ２は、第二被検者に装着された心電図センサから受信したセンサ信号に対応する心電図波形を表示している。また、表示領域Ａ２は、第二被検者に装着されたＳｐＯ２センサから受信したセンサ信号に対応するＳｐＯ２の測定値の経時変化を表示している。
【００２９】
すなわち、各表示領域は、各被検者と当該被検者に装着された少なくとも一つのセンサの関連付けに基づいて生成され、無線通信を通じて取得された当該被検者の生体情報を表示する。
【００３０】
このような構成によれば、複数の被検者から取得される生体情報を集中管理するための情報端末１の配置場所の自由度を高めることができる。これにより、生体情報の集中管理の利便性を高めることができる。
【００３１】
情報端末１は、ユーザにより携帯可能でありうる。換言すると、情報端末１は、ユーザが携帯可能な寸法と重量を有するように構成されうる。そのような情報端末１としては、スマートフォン、タブレット端末、ヘッドマウントディスプレイなどが例示されうる。
【００３２】
この場合、複数の被検者から取得される生体情報を、ユーザの望む場所で集中管理できる。したがって、生体情報の集中管理の利便性を高めることができる。
【００３３】
また、図４の（Ａ）に示されるように、ディスプレイ１２は、複数の被検者について生成された複数の表示領域を一括表示可能である。
【００３４】
このような構成によれば、複数の被検者から取得される生体情報の一覧性が高まり、生体情報の集中管理の利便性を高めることができる。
【００３５】
同一の被検者から受信した複数のセンサ信号の数が所定値を超える場合に、当該同一の被検者について生成された表示領域のみがディスプレイ１２に表示されうる。例えば当該所定値が２である場合について説明する。
【００３６】
図４の（Ａ）に示される例においては、表示領域Ａ１について受信されたセンサ信号の数と表示領域Ａ２について受信されたセンサ信号の数がともに２である。したがって、表示領域Ａ１と表示領域Ａ２が一括表示されている。ここでさらに二酸化炭素濃度センサが第一被検者に装着された場合、表示領域Ａ１について受信されるセンサ信号の数は２を超える。したがって、図４の（Ｂ）に示されるように、表示領域Ａ１のみがディスプレイ１２に表示される。この表示領域Ａ１は、第一被検者の呼吸気の二酸化炭素濃度の測定値の経時変化を表示している。
【００３７】
すなわち、一括表示される複数の表示領域のうち、受信されたセンサ信号の数が所定値を超えるものは、単独でディスプレイ１２に表示される。センサ信号の数が多い場合に複数の被検者の生体情報の一覧性を優先すると、ディスプレイ１２に表示される情報量が多過ぎて情報の視認性が却って低下するおそれがある。本例によれば、装着されたセンサの数が多い被検者について生成された表示領域に表示された情報の個別視認性が優先される。このような表示動作は、ディスプレイ１２の大きさが比較的小さく、一括表示できる情報量が制限される場合において、特に有利である。
【００３８】
情報端末１が集中管理しようとする被検者の数が所定値を超える場合、全ての被検者の生体情報の一覧性を優先すると、ディスプレイ１２に表示される情報量が多過ぎて情報の視認性が却って低下するおそれがある。したがって、ディスプレイ１２に一括表示される被検者の数について所定値が設定されうる。例えば、当該所定値は２とされうる。この場合、図４の（Ａ）に示されるように、第三被検者の生体情報を表示するための表示領域は、ディスプレイ１２に表示されていない。また、図４の（Ｂ）に示されるように第一被検者に係る表示領域Ａ１の個別視認性が優先された場合、第二被検者に係る表示領域Ａ２は、ディスプレイ１２に表示されなくなる。
【００３９】
このような場合にも利便性を確保するために、図１に示されるように、情報端末１は、ユーザインターフェース１６を備えうる。ユーザインターフェース１６は、通信バス１４に接続されうる。ユーザインターフェース１６は、ユーザから所定の操作を受け付けるように構成されている。ユーザインターフェース１６としては、ボタンやレバーなどの物理的スイッチ、ディスプレイ１２と一体化されてタッチ入力を許容するタッチパネル装置、音声指示の入力を受け付ける音声認識装置、視線入力による指示を受け付ける視線認識装置などが例示されうる。
【００４０】
この場合、図５の（Ａ）と（Ｂ）に示されるように、ユーザインターフェース１６が所定の操作を受け付けると、当初表示されていなかった被検者について生成された表示領域がディスプレイ１２に表示される。
【００４１】
例えば、図４の（Ａ）に示されるように第一被検者に係る表示領域Ａ１と第二被検者に係る表示領域Ａ２が一括表示されている状態において、図５の（Ａ）に示されるようにユーザインターフェース１６が所定の操作を受け付けると、図５の（Ｂ）に示されるように、当初表示されていなかった第三被検者に係る表示領域Ａ３が、ディスプレイ１２に現れる。
【００４２】
図示を省略するが、図４の（Ｂ）に示されるように第一被検者に係る表示領域Ａ１のみが表示されている状態において、ユーザインターフェース１６が所定の操作を受け付けると、当初表示されていなかった第二被検者に係る表示領域Ａ２と第三被検者に係る表示領域Ａ３の少なくとも一方が、ディスプレイ１２に現れる。
【００４３】
本例においては、ユーザインターフェース１６は、ディスプレイ１２に対するタッチ入力を許容するタッチパネル装置を含んでいる。縦長の姿勢をとるディスプレイ１２に表示された各表示領域には、複数の生体情報が縦方向に配列されている。この場合において、上記の所定の操作は、横方向へのフリック操作またはスワイプ操作である。本例においては、縦方向が第一方向の一例であり、横方向が第二方向の一例である。第二方向は、複数の生体情報の配列方向と異なっていればよい。
【００４４】
このような構成によれば、複数の被検者から取得された複数の生体情報の一覧性と視認容易性の双方を良好に確保できる。したがって、特にタッチパネル装置を用いたフリック操作またはスワイプ操作によってディスプレイ１２に表示される表示領域を切り替える構成の場合、情報端末１が本来備えている汎用的な構成を利用しつつ、直観的な操作を実現できる。
【００４５】
図６の（Ａ）に示される例においては、横長の姿勢をとるディスプレイ１２に第一被検者に係る表示領域Ａ１のみが表示されている。表示領域Ａ１内には、時間軸が横方向に沿うように、心電図における複数の誘導波形が表示されている。
【００４６】
本例においても、ユーザインターフェース１６が所定の操作を受け付けると、当初表示されていなかった第二被検者に係る表示領域Ａ２が、ディスプレイ１２に現れる。
【００４７】
具体的には、上記の所定の操作は、縦方向へのフリック操作またはスワイプ操作である。本例においては、横方向が第一方向の一例であり、縦方向が第二方向の一例である。第二方向は、時間軸の方向と異なっていればよい。
【００４８】
図６の（Ａ）に示される状態からユーザインターフェース１６が横方向へのフリック操作またはスワイプ操作を受け付けると、表示領域Ａ１内に表示された生体情報が、横方向にスクロールする。この操作により、ユーザは、生体情報における所望の時刻の状態を容易に確認できる。これにより、生体情報の集中管理における利便性が向上する。
【００４９】
同様の表示操作は、図４の（Ａ）に示された例にも適用可能である。この手法は、図４の（Ｂ）に示された表示状態への切り替え操作に代えて採用されうる。図７の（Ａ）は、図４の（Ａ）と同じ表示状態を示している。すなわち、第一被検者に係る表示領域Ａ１と第二被検者に係る表示領域Ａ２が、ディスプレイ１２に一括表示されている。本例においては、心電図センサとＳｐＯ２センサに加え、二酸化炭素濃度センサが第二被検者に装着されているとする。
【００５０】
図７の（Ａ）に示されるように、表示領域Ａ２には、二酸化炭素濃度の測定値の経時変化を示す波形は表示されていない。この状態においてディスプレイ１２の表示領域Ａ２に縦方向へのフリック操作またはスワイプ操作が入力されると、表示領域Ａ２内に表示された生体情報が、縦方向にスクロールする。その結果、当初は表示されていなかった二酸化炭素濃度の経時変化を示す波形が、表示領域Ａ２内に現われる。
【００５１】
このような構成によれば、複数の被検者の生体情報の一覧性を維持しつつ、必要なときにだけ特定の被検者に係る特定の生体情報を確認できる。これにより、生体情報の集中管理における利便性が向上する。
【００５２】
図４の（Ｂ）に示される一人の被検者に係る表示領域Ａ１のみがディスプレイ１２に表示されている場合においても、表示領域Ａ１に当初表示されていない生体情報が存在するのであれば、表示領域Ａ１に対する縦方向へのフリック操作またはスワイプ操作が入力されることにより、表示領域Ａ１内に表示された生体情報が縦方向にスクロールする。その結果、当初は表示されていなかった生体情報の経時変化を示す波形が、表示領域Ａ１内に現われる。
【００５３】
図１に示されるように、情報端末１は、検出部１７を備えうる。検出部１７は、通信バス１４に接続されうる。検出部１７は、各被検者との距離または各被検者に装着されたセンサからの電波強度を検出する周知の構成を備えうる。
【００５４】
この場合、検出部１７による検出結果に基づいて、複数の被検者のうち最も近くにいると判断された一人の生体情報を表示する表示領域が、ディスプレイ１２において強調表示されうる。例えば、電波強度が最も強いセンサを装着している被検者が、最も近くにいる被検者であると判断される。
【００５５】
図８の（Ａ）は、そのような強調表示の一例を示している。本例においては、検出部１７を通じて第二被検者が最も近くにいると判断されている。その結果、第二被検者に係る表示領域Ａ２が、ディスプレイ１２における最上部に配置される。この状態から情報端末１の位置が変化し、第一被検者が最も近くにいると判断されると、ディスプレイ１２の表示状態は、図４の（Ａ）に示される状態に変化する。すなわち、第一被検者に係る表示領域Ａ１が、ディスプレイ１２における最上部に配置される。
【００５６】
図８の（Ｂ）は、強調表示の別例を示している。本例においても、検出部１７を通じて第二被検者が最も近くにいると判断されている。その結果、第二被検者に係る表示領域Ａ２が、強調枠Ｆとともに表示される。この状態から情報端末１の位置が変化し、第三被検者が最も近くにいると判断されると、当初は表示されていなかった第三被検者に係る表示領域Ａ３が、強調枠Ｆとともにディスプレイ１２に現れる。強調のために付加される画像は、強調枠Ｆに限られず適宜に選択されうる。
【００５７】
最も近くにいると判断された一人の被検者に係る表示領域のみをディスプレイに表示させることもまた、強調表示の一例である。この場合、図４の（Ｂ）に示したような表示態様が得られる。あるいは、最も近くにいると判断された一人以外の被検者に係る表示領域をグレイアウト表示させたり、ぼかし表示したりすることもまた強調表示の一例である。
【００５８】
ユーザは、最も近くにいる被検者の生体情報を確認しようとしている蓋然性が高い。上記のような構成によれば、確認を要する被検者の生体情報へのアクセスを迅速かつ容易にできる。これにより、生体情報の集中管理における利便性が向上する。
【００５９】
上記の生体情報管理方法は、情報端末１のプロセッサが生体情報管理プログラムを実行することによって実現される。当該プログラムは、プロセッサと協働するメモリに予め組み込まれていてもよいし、当該プログラムを記憶している記憶媒体から読み出してもよい。そのような記憶媒体は、ＳＤカードやＵＳＢメモリのような可搬型記憶媒体として提供されてもよいし、情報端末１が通信ネットワークを介して接続可能なサーバ装置が備える記憶媒体であってもよい。
【００６０】
上記の実施形態は、本発明の理解を容易にするための例示にすぎない。上記の実施形態に係る構成は、本発明の趣旨を逸脱しなければ、適宜に変更・改良されうる。
【符号の説明】
【００６１】
１：情報端末、１１：無線通信装置、１２：ディスプレイ、１３：制御部、１５：記憶部、１６：ユーザインターフェース、１７：検出部、Ａ１〜Ａ３：表示領域
【図１】
2019166116.tif 000003
【図２】
2019166116.tif 000004
【図３】
2019166116.tif 000005
【図４】
2019166116.tif 000006
【図５】
2019166116.tif 000007
【図６】
2019166116.tif 000008
【図７】
2019166116.tif 000009
【図８】
2019166116.tif 000010